(57)【要約】【課題】手桶は合成樹脂でできており、手で持つ柄が水あるいは石鹸で濡れていると大変滑りやすく、手の力の弱い子供あるいは高齢者等にあっては手から滑らせて落とす欠点があった。本発明は柄を持ちやすく手を滑らせて落とさない手桶を提供する。【解決手段】手で持つ柄部に人差し指を掛ける半月状あるいは環状形の掛かり部を設けたことにより、手桶の前後方向及び横方向などすべての滑りに対して柄を安定して保持できるようにした。【選択図】図１
2009119004.tif 000002
【特許請求の範囲】
【請求項１】
手桶本体とその上部外周から水平方向に出される柄部の基端部に半月状の掛かり部を設けたことを特徴とする手桶。
【請求項２】
柄部の後端部に半月状の掛かり部を設けた請求項１記載の手桶。
【請求項３】
手桶本体とその上部外周から水平方向に出される柄部の基端部に環状形の掛かり部を設けたことを特徴とする手桶。
【請求項４】
柄部の後端部に半月状の掛かり部を設けた請求項３記載の手桶。
【発明の詳細な説明】
【技術分野】
【０００１】
本発明は、浴場で使用する手桶に関するものである。
【背景技術】
【０００２】
従来は、図９のような桶部（２）とその上部外周から水平方向に出される柄部（３）とから構成される合成樹脂製の手桶（１）が提供されている。
【発明の開示】
【発明が解決しようとする課題】
【０００３】
従来の手桶図９にあっては、柄部（３）が水あるいは石鹸で濡れていると大変滑りやすく、特に手の力の弱い子供と高齢者等にあっては手桶を滑り落とする欠点があった。本発明は、これらの問題点を解決するためになされたものである。
【課題を解決するための手段】
【０００４】
上記の課題を達成するために、手桶の手で持つ柄部に半月状もしくは環状形の掛かり部を設けた。
【発明の効果】
【０００５】
図１あるいは図５において、手桶（１）を手で持ったときの使用状態を示す。
半月状の掛かり部（４）あるいは環状形の掛かり部（５）の前側には人差し指が掛
かり、その後ろ側からは中指で挟み込む形となる。
【０００６】
よって掛かり部は人差し指と中指の二指で支持することになり、手桶（１）の前方向の滑りに対しては人差し指で滑りを止め、後方向の滑りに対しては中指で滑りを止めることができる。
【０００７】
また横方向あるいは回転方向に揺動に対してもしても人差し指と中指の二指で支持していることから横振れが抑えられ、どのような方向の揺動に対しても安定して柄部（３）を手で保持することができる。
【０００８】
特に子供や高齢者など手の力が弱い者にあっては、安定して柄部（３）を握れるため、これまでの手桶より握る力は少なくてよく、容易でそして安全に手桶を使用することができる。
【発明を実施するための最良の形態】
【０００９】
以下、本発明の実施例の説明を示す。
【実施例１】
【００１０】
図１に本発明の実施例１を示す。
手桶（１）において、桶部（２）とその上部外周から水平方向に出される柄部（３）の基端部に間隙部（７）をつくり半月状の掛かり部（４）を設ける。
【００１１】
掛かり部（４）は柄部（３）に接着剤で固着してもよく、ネジ止めにて取り付けてもよく、あるいは手桶（１）と一体形成してもよい。
【００１２】
図２は本発明の手桶（１）を水平に手で持ったときの使用状態を示す。
半月状の掛かり部（４）と間隙部（７）の間に人差し指を入れ、掛かり部（４）に人差し指を掛け、親指と他の三指で柄部（３）を包み込むように握って使用する。
【００１３】
掛かり部（４）の前側には人差し指が掛かり、その後ろ側からは中指で挟み込む形となる。よって掛かり部（４）は人差し指と中指の二指で支持することになり、手桶（１）の前方向の滑りに対しては人差し指で滑りを止め、後方向の滑りに対しては中指で滑りを止めることができる。
【００１４】
また横方向あるいは回転方向に揺動に対してもしても人差し指と中指の二指で支持していることから横振れが抑えられ、どのような方向の揺動に対しても安定して柄部（３）を手で保持することができる。
【００１５】
図３は手桶（１）を斜めに手で持ったときの使用状態を示す。半月状の掛かり部（４）に人差し指が掛かっていて柄部（３）を支持している。そのため更に手桶（１）が垂直方向に倒れても下方向に手桶（１）が滑り落ちることはない。桶部（２）に湯水が入っていて手桶（１）が重い場合、あるいは柄部（３）が水や石鹸で濡れて滑りやすい状況であっても手から滑り落とすことはなく安全に使用できる。
【００１６】
手桶を使用する状況は様々あるが、たとえば浴場で身体または頭部等を洗って湯水をかけるとき、あるいは風呂場を清掃するとき、あるいは洗濯機に湯水を入れるとき、あるいは花木の鉢になどに水やりするときなどがある。その時々によって柄部（３）を握る手の形は多様な方向を向いている。たとえば縦方向あるいは横方向あるいは斜め方向そして逆さ方向と多様である。どんな方向に手桶を持っても半月状の掛かり部（４）を人差し指と中指の二指で支持していることから、柄部（３）は安定して手で保持される。
【００１７】
特に子供や高齢者など手の力が弱い者にあっては、上記説明の通り安定して柄部（３）を握れるため、これまでの手桶より握る力は少なくてよく、容易にそして安全に手桶を使用することができる。また石鹸で濡れた手桶を湯船に落として湯水を石鹸で汚すことがあったが、手桶を落とすこともなくなり湯水を汚すこともなくなる。
【実施例２】
【００１８】
図４に本発明の実施例２を示す。
柄部（３）の基端部に半月状の掛かり部（４）と後端部に掛かり部（４ａ）を設けた実施例を示す。半月状掛かり部の形状は各々が異なってもよく、掛かり部（４ａ）だけでもよい。
【００１９】
柄部（３）の後端部にも掛かり部（４ａ）を設けたことにより、たとえ基端部の掛かり部（４）で人差し指が滑ったとしても後端部の掛かり部（４ａ）に小指が掛かり滑り止め効果を更に高める。柄部（３）を安定して保持できる説明については実施例１と同様であるため省略する。
【実施例３】
【００２０】
図５に本発明の実施例３を示す。
桶部（２）とその上部外周から水平方向に出される柄部（３）の基端部に環状形の掛かり部（５）を設けた実施例を示す。掛かり部（５）は柄部（３）に接着剤で固着するかネジにより取り付けてもよく、あるいは手桶（１）と一体形成してもよい。
【００２１】
図５において、手桶を水平に持ったときの使用状態を示す。環状形の掛かり部（５）に空けられた穴部（６）に人差し指を入れ、そして掛かり部（５）に人差し指を掛け、親指と他の三指で柄部（３）を包み込むように握って使用する。
【００２２】
掛かり部（５）の前側には人差し指が掛かり、その後ろ側からは中指で挟み込む形となる。よって掛かり部（４）は人差し指と中指の二指で支持することになり、手桶（１）の前方向の滑りに対しては人差し指で滑りを止め、後方向の滑りに対しては中指で滑りを止めることができる。
【００２３】
また手桶（１）が横方向に揺動したり、あるいは手桶（１）が裏返ったり、あるいは人差し指以外の指を離しても掛かり部（５）が環状であるため簡単に指から外れにくく手から滑り落ちにくい。柄部（３）を安定して保持できる説明については実施例１と同様であるため省略する。
【実施例４】
【００２４】
図６に本発明の実施例４を示す。手桶（１）に環状形の掛かり部（５）と半月状の掛かり部（４ａ）を設けたものである。柄部（３）の後端部にも半月状の掛かり部（４ａ）を設けたことにより、たとえ基端部の環状形の掛かり部（５）で人差し指が滑ったとしても後端部の半月状の掛かり部（４ａ）に小指が掛かり滑り止め効果を更に高める。柄部（３）を安定して保持できる説明については実施例３と同様である。
【実施例５】
【００２５】
図７は柄杓に関する実施例５を示す。柄杓の柄部（３）に半月状の掛かり部（４，４ａ）を設けた実施例を示す。使用するときは柄杓の握り部（８）を手で握り使用し、掛かり部はどちらか一つでもよく形状は各々が異なってもよい。掛かり部（４，４ａ）を付けたことにより柄部を安定して保持できることは実施例２と同様である。
【実施例６】
【００２６】
図８は柄杓に関する実施例６を示す。柄杓の柄部（３）に環状形の掛かり部（５）と半月状掛かり部（４ａ）を設けた実施例を示す。使用するときは柄杓の握り部（８）を手で握り使用し、掛かり部はどちらか一つでもよい。
【００２７】
環状形掛かり部（５）にあっては掛かり部が環状形であるためフックに掛けて収納できる利点がある。掛かり部（５，４ａ）を付けたことにより柄部を安定して保持できることは実施例４と同様である。
【図面の簡単な説明】
【００２８】
【図１】本発明の第１実施例の斜視図
【図２】本発明の第１実施例の水平状態を示した斜視図
【図３】本発明の第１実施例の斜め状態を示した斜視図
【図４】本発明の第２実施例の斜視図
【図５】本発明の第３実施例の斜視図
【図６】本発明の第４実施例の斜視図
【図７】本発明の第５実施例の斜視図
【図８】本発明の第６実施例の斜視図
【図９】従来の手桶の斜視図
【符号の説明】
【００２９】
１    手桶
２    桶部
３    柄部
４    半月状の掛かり部
４ａ  半月状の掛かり部
５    環状形の掛かり部
６    穴部
７    間隙部
８    柄杓の握り部
Ｈ    手
【図１】
2009119004.tif 000003
【図２】
2009119004.tif 000004
【図３】
2009119004.tif 000005
【図４】
2009119004.tif 000006
【図５】
2009119004.tif 000007
【図６】
2009119004.tif 000008
【図７】
2009119004.tif 000009
【図８】
2009119004.tif 000010
【図９】
2009119004.tif 000011